(57)【要約】【目的】建物や施設空間に載置若しくは配置して、空間内の美装化と安全で快適且衛生的空間を創出する環境浄化機能を持つアートフワラーの提供。【構成】平均粒径が６０μｍ以下で比表面積が１２０ｍ２／ｇ以上及び塩基置換容量（ｍｅｑ／１００ｇ）が２００ｍｇ以上の人工ゼオライト粉体が、比較的粗目の基布に２０ｇ／ｍ２以上の目付量で且塗着形成膜が連続気泡で形成され、而も適宜色調に着色されて塗着形成された浄化基材を用いて花弁部材及び葉型部材となしたるうえ、該花弁部材を適宜数積層し若しくは放射状に展開させ、或いは一枚の花弁部材を変形曲折して花体を形成し、適宜の茎部材や蔓部材に該花体並びに葉型部材を巻縛固定させた構成の環境浄化機能を持つアートフラワー。【選択図】  図９
2004154520.tif 000002
【特許請求の範囲】
【請求項１】
平均粒径が６０μｍ以下で比表面積が少なくとも１２０ｍ２／ｇ以上並びに塩基置換容量（ｍｅｑ／１００ｇ）が２００ｍｇ以上で、且カルシウムイオン、鉄イオン、マグネシウムイオンのいづれかに置換された人工ゼオライト粉体が、比較的粗目の織物若しくは編物或いは不織布からなる基布に、その目付量が少なくとも２０ｇ／ｍ２以上の重量割合で且その塗着形成膜が連続気泡を以って、而も適宜の着色剤で着色された塗着材で塗着され且塗着後の空隙率が３０％以上に保持されるよう形成された浄化基材を、適宜形状及び大きさの花弁型若しくは葉型に裁断して花弁部材並びに葉型部材となし、更に花弁部材の適宜数を積層させ若しくは連接展開させ或いは１枚を変形曲折により花体を形成させ、而して適宜の茎部材若しくは蔓部材に花体及び葉型部材を、糸若しくは針金或いは粘着テープよりなる止着材で巻縛固定させ若しくは接着剤で接着固定させたことを特徴とする、環境浄化機能を持つアートフラワー。
【請求項２】
花弁部材並びに葉型部材の外表面全体が、適宜に着色され且通気性を有する布帛で包被されてなる、請求項１記載の環境浄化機能を持つアートフラワー。
【請求項３】
基布に粗目の織物若しくは編物が用いられて浄化基材が形成され、且該浄化基材で形成される花弁部材のそれぞれが異なる色調に着色された花弁部材を適宜数積層させて花体が形成されてなる請求項１記載の環境浄化機能を持つアートフラワー。
【請求項４】
茎部材に複数個の花体が巻縛固定若しくは接着固定されてなる請求項１乃至請求項３記載の環境浄化機能を持つアートフラワー。
【請求項５】
蔓部材に複数個の花体若しくは葉型部材或いは花体及び葉型部材が巻縛固定若しくは接着固定されてなる、請求項１乃至請求項３記載の環境浄化機能を持つアートフラワー。
【請求項６】
多種類の花体及び葉型部材で形成されたアートフラワーのそれぞれが一体的にアレンジメントされてなる請求項１乃至請求項５記載の環境浄化機能を持つアートフラワー。
【発明の詳細な説明】
【０００１】
【産業上の利用分野】
本発明は建物や施設等の空間内に載置若しくは配置させて、該空間内の美装化と且該空間内に拡散滞留する揮発性有機化合物や有害ガス或いは臭気ガスの吸着分解消去及び分解消臭と調湿により該空間内の浄化を図ることの可能なアートフラワーに関する。
【０００２】
【従来技術】
我が国では産業の拡大とともに多量の煤煙や汚水の排出に加え、膨大量の産業廃棄物の投棄がなされてきたため、既に大気、水、土壌に至るまで極度の汚染が拡散されている。
更に現状では車社会に伴い膨大量の排気ガスが排出され続けており、且産業の拡大に伴う化学工業の進展により消費財はもとより耐久消費財、建装材、家具、衣料品に至るまで合成化学品や化学薬剤が多用されるに至っている。
【０００３】
他方近年における建物や施設等は建築技術精度の向上に加えて、建築金物類や新建材等の採用とが相俟って密閉性が著しく高まっており、これがため新建材や内装材或いはこれらを施工する際の接着剤や、家具等に使用されている合成化学品や化学薬剤等から揮散する揮発性有機化合物が、該建物や施設空間内に揮散滞留し、これが数多の疾病を誘発する所謂シックハウス症候群の原因となっていることが解明されるに至り、更に密閉性の高まりにより該建物や施設内には業務や扱い商品特有の臭気が籠りやすく、特に建物や施設空間の狭いホテルや店舗では顕著であり、とりわけ居住用建物では生活臭気に加えてペット類の臭気も混交されて異臭化し、而も在宅介護者を抱える場合には居住建物空間全体に悪臭が拡散滞留する結果となっている。
【０００４】
加えて密閉性の高まりは年間を通じて建物や施設空間が温暖となり、且通風性も阻害されるため結露の発生が頻発し黴や細菌類の繁殖が増長されるとともにダニ等の衛生害虫の蝟集をも招来するとともに、これら死骸がアレルゲンとなりアトピー性皮膚炎や小児喘息を誘発する結果となる等、現状の建物や施設の空間は著しく危険で不快且非衛生的な状態におかれている。
【０００５】
かかる問題の対処手段の一つとして外気との頻繁な交換をなすことが提案されてなるものの、既に都市部においては外気自体が極度に汚染されているため浄化手段を付加した大型のエアーコンディショナーによる循環が要請されるばかりか、莫大な設備費用とともに維持コストも高価となるため大型建物や施設或いは高級ホテルや店舗の一部に限定されている。従って小規模の建物や施設においてはオゾン放出による殺菌や消臭手段や或いは近年においてはマイナスイオンによる空気清浄機なるものが試みられているものの、該オゾンやマイナスイオンによる手段は建物や施設空間内全体に所要濃度で拡散されぬ限り実効性がなく、且オゾンは特有の臭気とともに危険性が高く更にマイナスイオンにおいても空気清浄化を実現しえる高濃度の生成のものは開発されておらず、これら手段は機能並びに効果の面で普及されるに至っていない。
【０００６】
而して近年に至り鋳造廃砂や峻渫工事における砂泥或いは石炭灰等の産業廃棄物の如く残留主成分が酸化珪素及び酸化アルミニウムからなるものでは、アルカリ前処理と且高温高圧処理により膨大量の微細孔隙を有し且強い陽イオン交換能若しくは陰イオン交換能と触媒作用も保持し、而も多量の吸湿及び放湿所謂調湿性をも保持する多様な性能の人工ゼオライトが生産可能となるに至ったことに鑑み、発明者は建物や施設空間内の美装化とともに人工ゼオライトの性能を積極的且効率良く発揮させて環境浄化を図ることを想到し本発明に至った。
【０００７】
【発明が解決しようとする課題】
即ち本発明は建物や施設空間に自在に載置若しくは配置でき空間内の美装化と安全で快適且衛生的空間を創出しえる環境浄化機能を持つアートフラワーを提供することにある。
【０００８】
【課題を解決するための手段】
上述の課題を解決するために本発明が用いた技術的手段は、建物や施設空間に揮散滞留する揮発性有機化合物や有害ガス若しくは臭気ガスを積極的に吸着させ、或いは湿気を吸湿させるうえからは接触表面積率が大きなものが好適であることから、使用する人工ゼオライト粉体としてはその平均粒径が６０μｍ以下のものが使用され、且十分な吸着及び吸湿性を発揮させるうえからその比表面積が少なくとも１２０ｍ２／ｇ以上で、更に吸着させた揮発性有機化合物や有害ガス若しくは臭気ガスを分解消去若しくは分解消臭させるとともに、吸着飽和を除去させて長期に亘る吸着性を保持せしめるうえから、その塩基置換容量（ｍｅｑ／１００ｇ）が２００ｍｇ以上で且カルシウムイオンや鉄イオン、若しくはマグネシウムイオンに置換された人工ゼオライト粉体が選択使用される。
【０００９】
そしてこの選択された人工ゼオライト粉体の吸着性や吸湿性をアートフラワーにおいて発揮させるうえから、粗目の織物若しくは編物若しくは不織布からなる基布にその目付量が少なくとも２０ｇ／ｍ２以上の重量割合で適宜色調に着色され且塗着に伴う塗着形成膜が通気並びに透湿可能なよう連続気泡で形成され、而も塗着後の空隙率が少なくとも３０％以上保持されるよう塗着させて、一旦浄化基材を形成する。
【００１０】
かくしてなる浄化基材を適宜の形状及び大きさの花弁形状に裁断して花弁部材及び適宜の形状及び大きさの葉型形状に裁断して葉型部材となしたるうえ、更には花弁部材においてはその適宜数枚を積層させ若しくは連接展開させ、或いはその１枚を変形曲折させて花体を形成する。
【００１１】
而して適宜の素材からなる茎部材若しくは蔓部材に糸若しくは針金或いは粘着テープ等止着材で花体及び葉型部材を巻縛固定或いは接着剤で接着固定させてなる環境浄化機能を持つアートフラワーの構成に存する。
更には本発明は美装性を高めるうえから鮮明な色彩感も要請されるため、花弁部材若しくは葉型部材の外表面全体に適宜に着色され且通気性を有する布帛で包被させた構成や、花弁部材や葉型部材を形成する浄化基材を粗目の織物若しくは編物よりなる基布を用いて形成し、この浄化基材で形成され且それぞれ異なる色調に着色された花弁部材を適宜数積層させて花体を形成することにより、多様の色調が混交された美装感を創出させる構成に存する。
【００１２】
加えて適宜の茎部材に複数個の花体を巻縛固定若しくは接着固定させた構成、若しくは蔓部材に複数個の花体若しくは葉型部材或いは花体及び葉部材が巻縛固定若しくは接着固定させた構成、及び多種類の花体及び葉型部材で形成されたアートフラワーのそれぞれを一体的にアレンジメントさせた構成に存する。
【００１３】
【作用】
本発明は上述の如き構成からなるため、以下のような作用を有する。即ち比較的粗目の織物や編物若しくは不織布からなる基布に、その平均粒径が６０μｍ以下で比表面積が１２０ｍ２／ｇ以上及び塩基置換容量（ｍｅｑ／１００ｇ）が２００ｍｇ以上の人工ゼオライト粉体が、その目付量において２０ｇ／ｍ２以上の重量割合で適宜色調に着色されて塗着され、且この塗着形成膜が連続気泡で形成され而も該人工ゼオライト粉体が塗着されて形成される浄化基材が３０％以上の空隙率を有するため、該浄化基材で花弁部材や葉型部材が形成されたうえ作成されるアートフラワーを建物や施設空間内に載置若しくは配置させることにより、該建物や施設空間内に拡散滞留する揮発性有機化合物を初め、有害ガスや臭気ガスは該アートフラワーを形成する浄化基材に容易に接触し流通しえることとなる。
【００１４】
そして該浄化基材には接触表面積率が極めて大きく、而も比表面積の非常に大きな人工ゼオライト粉体が連続気泡構造の塗着形成膜により、而もその目付量においても２０ｇ／ｍ２以上の重量割合で塗着されてなるため膨大な吸着容量を有し、接着流通する揮発性有機化合物や有害ガス或いは臭気ガスが積極的に且多量に吸着されることとなる。
加えてこの人工ゼオライト粉体は置換性の高いカルシウムイオンや鉄イオン、若しくはマグネシウムイオンを保持するとともに、塩基置換容量が大きくその強い塩基置換能と且人工ゼオライト特有の触媒作用とにより、これら吸着された揮発性有機化合物や有害ガス或いは臭気ガスが分解消去され無害化や消臭化が図られ、而も吸着飽和も阻止されて長期に亘り吸着性が維持される。
【００１５】
更に浄化基材に塗着されてなる人工ゼオライト粉体は、その接触表面積率が極めて大きく且その大きな比表面積と比較的多量の塗着量とにより膨大な吸湿容量をも保持するため、建物や施設空間内が多湿状態の場合には積極的に吸湿され、而も乾燥に伴い放湿されるため建物や施設空間内の湿度が略一定に保持される。そして花弁部材若しくは葉型部材の外表面に、適宜に着色され且通気性を有する布帛で包被されたうえアートフラワーを形成することにより鮮明且色彩感が著しく発揮されるアートフラワーが形成され、或いは花弁部材や葉型部材を形成する浄化基材に粗目の織物若しくは編物を用い、且多色に着色された花弁部材のそれぞれを適宜数積層させて花体を形成することにより、それぞれの花弁部材の色調が透過混交されファンタジックな美感も創出される。
【００１６】
【実施例】
以下に本発明実施例を図とともに詳細に説明すれば、図１は本発明に使用する基布１の説明図、図２は浄化基材２の説明図であって、本発明は建物や施設空間内に載置若しくは配置させて該建物や施設空間内の美装とともに該空間内に揮散滞留する揮発性有機化合物や有害ガス若しくは臭気ガスの吸着分解若しくは吸着消臭並びに多湿時の吸湿及び乾燥時の放湿所謂調湿を図り、安全で快適且衛生的空間となすためにアートフラワー８を用いて実現するものである。
【００１７】
これがためにはアートフラワー８への加工性を考慮して布状の浄化基材２を用いることが得策であって、該浄化基材２は建物や施設空間内に揮散滞留する揮発性有機化合物や有害ガスを積極的且効率良く吸着分解させ若しくは臭気ガスを吸着消臭し、或いは湿気の吸湿及び放湿をさせるうえからは、これら揮発性有機化合物や有害ガス若しくは臭気ガス或いは湿気が接触流通しえることが肝要となる。
【００１８】
そこで該浄化基材２の形成に際しては比較的粗目の平織物や綾織物等からなる織物１Ａや、経メリヤスに属するトリコット編地やミラニーズ編地若しくはラッセル編地等の編物１Ｂ、或いは不織布１Ｃ等の基布１が用いられる。
かかる場合の該基布１には人工ゼオライト粉体３が塗着されるものであるから、該基布１の素材としては接着性に優れるものが望ましく、天然繊維素材や再生繊維素材に加えて合成繊維素材としてはポリビニルアルコール系やポリアミド系、ポリエステル系、或いはアクリル系のものが望まれる。
【００１９】
かくしてなる基布１には塗着材を用いて人工ゼオライト粉体３がその目付量で少なくとも２０ｇ／ｍ２以上の重量割合を以って、且その塗着形成膜２Ａが連続気泡構造で而も該塗着形成膜２Ａにより塗着された状態においての空隙率が３０％以上に保持されるよう、而も適宜の色調に着色され塗着されることにより浄化基材２が形成される。そして該浄化基材２に塗着される人工ゼオライト粉体３は、建物や施設空間内に拡散滞留する揮発性有機化合物を初め、有害ガスや臭気ガス或いは湿気等の接触流通に際して積極的に吸着吸湿を図るうえからは、その粒径が小さな所謂接触表面積率の大きなものが望まれることから、その平均粒径としては６０μｍ以下のものが好適であるものの、あまり粒径が細かくなると取扱性が悪くなるため、望ましくは１０乃至３０μｍが好都合である。
【００２０】
加えて該人工ゼオライト粉体３は、建物や施設空間内に拡散滞留する揮発性有機化合物や有害ガス若しくは臭気ガス、或いは湿気等を効率良く吸着吸湿させるうえからは、物理的吸着吸湿容量所謂比表面積の大きなものが望まれるため、その比表面積においては少なくとも１２０ｍ２／ｇ以上望ましくは１８０乃至２４０ｍ２／ｇ程度のものが好適である。
そして更に肝要なことは、大きな接触表面積率と且膨大な物理的吸着容量を以って積極的且効率的に吸着させるのみでは、やがて吸着飽和により吸着性が滅失する。而しながら幸いに人工ゼオライト粉体３には触媒作用を保持するとともに大きな塩基置換容量に伴う強い塩基置換能により吸着した揮発性有機化合物や有害ガスの分解消去或いは臭気ガスの分解消臭がなしえることにより吸着飽和が消去され長期に亘る吸着性を維持せしめることが可能となる。
これがため採用する人工ゼオライト粉体３は、その塩基置換容量（ｍｅｑ／１００ｇ）で少なくとも２００ｍｇ以上、望ましくは２４０乃至２８０ｍｇ程度のものが好適である。
【００２１】
人工ゼオライト粉体３を基布１に塗着される塗着材としては、本発明が環境浄化を目的とするものであるから使用経過に伴う劣化や老化により、揮発性有機化合物の発生危険や臭気発生の危険のないものが望まれるもので、具体的塗着材としてはアクリル樹脂エマルジョンやアクリルゴムエマルジョンからなる塗着材が挙げられる。
そしてかかる塗着材を以って人工ゼオライト粉体３を基布１に塗着させる手段としては浸漬塗着法や吹付塗着法、或いはロール塗着法等により所要の添着目付量に塗着のうえ乾燥工程により乾燥させることにより浄化基材２が形成される。かかる場合に肝要なことは基布１に所要の添着目付量で人工ゼオライト粉体３を塗着保持させるための塗着形成膜２Ａが連続気泡により通気性や透湿性が保持されるように形成される必要がある。これがためには連続気泡形成のための気泡剤が配合されるもので、該気泡剤を例示すればステアリン酸アンモニウムが挙げられる。
【００２２】
かくして形成された浄化基材２は、図３に示すようにその形成しようとする種類の花弁の形状に合せて裁断することにより花弁部材４を形成するもので、具体的にはバラやカーネーションの如く、大きさや形状の異なる多数の花弁が積層される花の場合には、図３のＡに示すようにその大きさ及び面積の異なる花弁部材４を略３乃至５種類程度作成し、他方ヒマワリやガーベラの如く花弁が放射状に展開されている花の場合では、図３のＢに示すように略同一形状及び大きさの花弁部材４を用いて花体４Ａが形成される。無論本発明においてはアートフラワー８を形成するものであるから、かかる花弁部材４に限定されるとなく図３のＣに示すように花全体の展開形状に裁断した一枚の花弁部材４を変形曲折させて花体４Ａを形成する方法も採用される。かかる場合の浄化基材２の裁断は、予め花弁部材４の形状に形成させた抜型で打抜き裁断させ、若しくは加熱抜型で熔断させる方法等が使用される。
【００２３】
他方葉型部材５は図４に示す如く、花の近くの葉は一般的に小さく根元に向って次第に大きな葉を付けており、反面蔓性のヘデラ類では略同等の大きさの葉を付けている。従ってそれぞれの花の種類に適合した形状で且大きさも３乃至５種類程度に作成しておけば良い。
加えて観葉植物の如く葉型部材５に美装性を発揮させるものにおいては、図５に示すように該葉型部材５の表面にウェルダーによる熔融手段若しくは加圧加熱プレス手段による葉脈模様５Ａや斑模様５Ｂの形成が望まれる。
【００２４】
更に浄化基材２には適宜の色調に着色されてなるものの、該浄化基材２より形成させた花弁部材４や葉型部材５では使用目的により解明な色彩感が要請されるアートフラワー８の形成には色彩感に欠けるきらいがある。
これがため図６に示す如く、着色性に優れ通気性を有する布帛２０を花弁部材４若しくは葉型部材５の外表面に包被させたうえ花体４Ａを形成しアートフラワー８を形成することが提案されるもので、該布帛２０の具体的なものとしては、モスリン、セル、オーガンジー、カナキン等が挙げられる。
無論この他に合成繊維素材を織成してなる織物地も使用可能であるが、鮮明な着色を施すうえからはアクリル繊維やポリビニルアルコール繊維、ポリアミド繊維等の素材が好適である。
【００２５】
かくしてなる花弁部材４を用いて花体４Ａを形成する方法が図７に示されなるもので、花弁を多数有する花の花体４Ａの形成に際しては、図７のＡに示すように、作成すべき花体４Ａの外側より内側に順次形状の小さい花弁部材４をそのそれぞれを重り合うよう積層させ、その下端４０Ａを一体的にミシン縫合４０Ｂさせる方法が提案され、或いは花弁が放射状に連接展開された花を対象とした花体４Ａの形成においては、花体４Ａの裏側に添える適宜形状の萼部材４１の外周縁に沿って花弁部材４を放射状に展開配置させたうえミシン縫合４０Ｂ若しくは接着接合させる方法が好都合である。
【００２６】
図８には花体４Ａ若しくは葉型部材５を茎部材６若しくは蔓部材７に取付固定させてアートフラワー８を形成する場合の取付方法が示されてなり、同図８のＡには予め所要の形状及び大きさに形成された花体４Ａの、それぞれの花弁部材４の下端４０Ａが一体的にミシン縫合４０Ｂされた部分を、茎部材６の先端６Ａに包着させたうえ、糸若しくは針金或いは粘着テープ等からなる止着材４２で巻縛固定させることによりなされ、更に同図８のＢには蔓部材７の適宜位置に所要の形状及び大きさに形成された葉型部材５の先端５Ｃを、糸若しくは針金或いは粘着テープからなる止着材４２で巻縛固定させた状態が示されている。
かかる場合に美感上からは該巻線固定された上側には粘着テープを更に螺回させることが好ましい。
【００２７】
茎部材６や蔓部材７は特段の制約はなく軽量強靭で巻縛固定できるものであれば使用できるが一般的には硬質発泡プラスチック棒材が使用されるものであり、特に本発明において美装性を高めるうえからアレンジメント８０されたアートフラワー８の形成には、該茎部材６や蔓部材７を自在に変形させ若しくは曲折させたりするため、該茎部材６や蔓部材７の折損防止を図るうえから補強針金を螺着させたものの使用が望まれる。
【００２８】
図９には載置使用されるアートフラワー８の使用態様が示されてなり、適宜の載置容器内に挿し込んで建物や施設空間の適宜位置に載置使用されるものであり、図１０にはアレンジメント８０された使用態様が示されている。
【００２９】
【発明の効果】
本発明は以上述べたように、花体を形成する花弁部材や葉型部材が少なくとも空隙率で３０％以上の通気性を保持し、而もその平均粒径が６０μｍ以下で比表面積が１２０ｍ２／ｇ以上及び塩基置換容量（ｍｅｑ／１００ｇ）が２００ｍｇ以上のカルシウムイオン、鉄イオン、マグネシウムイオンに置換された人工ゼオライト粉体が２０ｇ／ｍ２以上の目付重量割合を以って、且その塗着形成膜が連続気泡により通気性並びに透湿性を保持するように、而も適宜の色調に着色されて塗着された浄化基材より形成されてなり、さらにはこの花弁部材が適宜数積層され若しくは放射状に連接展開され、或いは一枚を変形曲折して花体を形成させたうえ、葉型部材とともに茎部材や蔓部材に巻縛固定させて形成されるため浄化基材が比較的広面積割合で使用され、従って建物や施設空間の適宜位置に載置若しくは配置させることにより、高級感とともに色彩感が発揮され建物や施設空間の美装性が著しく高められるばかりか、該建物や施設空間内に揮散滞留する揮発性有機化合物や有害ガス若しくは臭気ガスが積極的且効率良く吸着され、且強い塩基置換性並びに触媒作用とにより分解消去或いは分解消臭がなされるとともに長期に亘って吸着性が維持発揮される。
【００３０】
加えて多湿時には多量の吸湿がなされ、且乾燥時には放湿がなされるため調湿作用も発揮されて、結露の発生が抑制されるとともに黴や細菌の繁殖や衛生害虫の蝟集も防止されることとも相俟って、建物や施設空間が安全で快適且衛生的に保持される。
更に花弁部材や葉型部材の外表面に着色性に優れ且通気性を有する布帛を包被させて形成させることにより、一段と鮮明且多彩な色彩感が強く創出されるためホテルや店舗等の空間美装が著しく高められる等極めて特長の多い環境浄化機能を持つアートフラワーである。
【図面の簡単な説明】
【図１】本発明に用いる基布の説明図である。
【図２】浄化基材の説明図である。
【図３】花弁部材の見取図である。
【図４】葉型部材の見取図である。
【図５】表面加工が施された葉型部材の説明図である。
【図６】外表面が布帛で包被された葉型部材の説明図である。
【図７】花体の形成方法説明図である。
【図８】アートフワラーの形成方法説明図である。
【図９】アートフラワーの使用態様図である。
【図１０】アレンジメンドされたアートフラワーの見取図である。
【符号の説明】
１    基布
１Ａ  織物からなる基布
１Ｂ  編物からなる基布
１Ｃ  不織布からなる基布
２    浄化基材
２Ａ  塗着形成膜
２Ｂ  空隙
２０    布帛
３    人工ゼオライト粉体
４    花弁部材
４Ａ  花体
４０Ａ  花弁部材の下端
４０Ｂ  ミシン縫合
４１    萼部材
４２    止着材
５    葉型部材
５Ａ  葉脈模様
５Ｂ  斑模様
６    茎部材
６Ａ  茎部材の先端
７    蔓部材
８    アートフラワー
９    アレンジメントされたアートフラワー
【図１】
2004154520.tif 000003
【図２】
2004154520.tif 000004
【図３】
2004154520.tif 000005
【図４】
2004154520.tif 000006
【図５】
2004154520.tif 000007
【図６】
2004154520.tif 000008
【図７】
2004154520.tif 000009
【図８】
2004154520.tif 000010
【図９】
2004154520.tif 000011
【図１０】
2004154520.tif 000012